(57)【要約】【課題】容器本体内の内容物の密封性を保つことができる注出口付容器を提供する。【解決手段】注出口付容器１０は容器本体２５と、容器本体２５に取付けられた注出口１１とを備えている。注出口１１は容器本体２５に融着された一対の取付板１４と、取付板１４から外方へ突出する筒状部１２とを有している。筒状部１２内に薄肉部１８ａを介してシール板１８が取付けられている。【選択図】　図１
2004067184.tif 000002
【特許請求の範囲】
【請求項１】
容器本体と、
容器本体に取付けられた注出口とを備え、
この注出口は容器本体の一側に融着された取付部と、取付部から外方へ突出するとともに外面に外ねじを有する筒状部とを有し、
注出口内に破断自在のシール板を取付けたことを特徴とする注出口付容器。
【請求項２】
筒状部に、筒状部の外ねじに係合する内ねじを有するキャップを装着したことを特徴とする請求項１記載の注出口付容器。
【請求項３】
キャップはピルファープルーフバンドを有することを特徴とする請求項２記載の注出口付容器。
【請求項４】
筒状部はピルファープルーフバンドを係止するバンド止めフランジと、バンド止め突部とを有することを特徴とする請求項３記載の注出口付容器。
【請求項５】
筒状部はバンド止めフランジとバンド止め突部との間に、ピルファープルーフバンドの内面に当接するバンド止めリブを有することを特徴とする請求項４記載の注出口付容器。
【請求項６】
シール板は、注出口のうち筒状部に設けられていることを特徴とする請求項１記載の注出口付容器。
【請求項７】
容器本体の一側に取付けられる取付部と、
取付部に接続され外面に外ねじを有する筒状部とを備え、
筒状部内に薄肉部を介してシール板を取付けたことを特徴とする注出口。
【発明の詳細な説明】
【０００１】
【発明の属する技術分野】
本発明は流体食品等の内容物を収納する注出口付容器および注出口に係り、とりわけ密封性を向上することができる注出口付容器および注出口に関する。
【０００２】
【従来の技術】
従来より流体食品を収納する注出口付容器として、内容物が充てんされた容器本体と、容器本体に取付けられた注出口と、注出口に装着されたキャップとを有するものが知られている。
【０００３】
使用時において、キャップを注出口から取外し、その後容器本体を傾けることにより、容器本体内の内容物を注出口から外方へ排出している。
【０００４】
【発明が解決しようとする課題】
上述のように容器本体内に充てんされた内容物は注出口から排出されるが、内容物が酒や油など浸透性の高いものや、レトルト食品などは高い密封性が要求されている。
【０００５】
本発明はこのような点を考慮してなされたものであり、容器本体内の内容物の密封性を高めることができる注出口付容器およびその注出口付容器に用いる注出口を提供することを目的とする。
【０００６】
【課題を解決するための手段】
本発明は、容器本体と、容器本体に取付けられた注出口とを備え、この注出口は容器本体の一側に融着された取付部と、取付部から外方へ突出するとともに外面に外ねじを有する筒状部とを有し、注出口内に破断自在のシール板を取付けたことを特徴とする注出口付容器である。
【０００７】
本発明は、筒状部に、筒状部の外ねじに係合する内ねじを有するキャップを装着したことを特徴とする注出口付容器である。
【０００８】
本発明は、キャップはピルファープルーフバンドを有することを特徴とする注出口付容器である。
【０００９】
本発明は、筒状部はピルファープルーフバンドを係止するバンド止めフランジと、バンド止め突部とを有することを特徴とする注出口付容器である。
【００１０】
本発明は、筒状部はバンド止めフランジとバンド止め突部との間に、ピルファープルーフバンドの内面に当接するバンド止めリブを有することを特徴とする注出口付容器である。
【００１１】
本発明は、シール板は、注出口のうち筒状部に設けられていることを特徴とする注出口付容器である。
【００１２】
本発明は、容器本体の一側に取付けられる取付部と、取付部に接続され外面に外ねじを有する筒状部とを備え、筒状部内に薄肉部を介してシール板を取付けたことを特徴とする注出口である。
【００１３】
【発明の実施の形態】
以下、図面を参照して本発明の実施の形態について説明する。
【００１４】
図１乃至図３は本発明の一実施の形態を示す図である。
【００１５】
図１乃至図３に示すように、注出口付容器１０は内容物、例えば液体食品を収納する容器本体２５と、容器本体２５に取付けられた注出口１１と、注出口１１に装着されたキャップ２０とを備えている。
【００１６】
このうち容器本体２５はスタンディングパウチタイプの容器本体、あるいはガゼットタイプの容器本体からなり、内部に液体食品が収納されている。
【００１７】
このような容器本体２５は、例えばポリエチレン（ＰＥ）、ナイロン、およびポリエチレンテレフタレート（ＰＥＴ）およびアルミ（Ａｌ）等の積層材から構成され、その内層は注出口１１と同一の材料からなっている。
【００１８】
また注出口１１は容器本体２５に融着されて固着されるようになっており、注出口１１は容器本体２５の一側に融着される一対の取付板（取付部）１４と、一対の取付板１４から外方へ突出するとともに外面に外ねじ１２ａを有する筒状部１２とを有している。
【００１９】
一対の取付板１４は、船形の外形を有し、容器本体２５の一側内面に挿入され、この容器本体２５の内面に融着されるようになっている（図２（ａ）（ｂ））。ここで図２（ａ）は注出口の外面図であり、図２（ｂ）は図２（ａ）のＢ線方向矢視図である。
【００２０】
さらに一対の取付板１４内側には、筒状部１２に連通するとともに、容器本体２５内に延びる連通口１３が設けられている。
【００２１】
筒状部１２の外面には、外ねじ１２ａから下方に向って順次バンド止め突部１７と、バンド止めフランジ１６が設けられている。このバンド止め突部１７とバンド止めフランジ１６は、後述するキャップ２０のピルファープルーフバンド２１を上下方向から係止するものである。
【００２２】
また一対の取付板１４の上方には、容器本体２５の上端が係合する取付フランジ１５が設けられている。
【００２３】
また筒状部１２の内部下方には、シール板１８が取付けられている。シール板１８はその外周に薄肉部１８ａを有し、この薄肉部１８ａを介して筒状部１２内面に固着され、筒状部１２内を封止している。またシール板１８の位置は一対の取付板１４の上方に位置している。
【００２４】
次に図３により、キャップ２０について説明する。キャップ２０はその内面に、筒状部１２の外ねじ１２ａに係合する内ねじ２０ａを有している。またキャップ２０はその下方部分に、ピルファープルーフバンド２１を有している。このピルファープルーフバンド２１は薄肉部２２を介してキャップ２０のキャップ本体２０ｂに分離自在に取付けられており、内ねじ２０ａはキャップ本体２０ｂ側に設けられている。
【００２５】
またピルファープルーフバンド２１はその内側に円周状突起２１ａを有しており、注出口１１の筒状部１２の外面にはバンド止め突部１７とバンド止めフランジ１６との間にバンド止めリブ１９が設けられている。ピルファープルーフバンド２１がキャップ本体２０ｂから分離した場合、ピルファープルーフバンド２１はバンド止め突部１７とバンド止めフランジ１６とによって上下方向の動きが規制される。同時にピルファープルーフバンド２１の円周状突起２１ａがバンド止めリブ１９に当接して、ピルファープルーフバンド２１の半径方向の動きも規制される。
【００２６】
なお、注出口１１およびキャップ２０は、いずれもポリエチレン（ＰＥ）、高密度ポリエチレン（ＨＤＰＥ）あるいはポリプロピレン（ＰＰ）から構成されている。
【００２７】
次にこのような構成からなる本実施の形態の作用について説明する。
【００２８】
まず注出口１１に予めキャップ２０を装着しておく。次に容器本体２５の一側にキャップ２０が装着された注出口１１が取付けられる。この場合、注出口１１の一対の取付板１４を容器本体２５の一側にヒートシールして融着することにより、注出口１１が容器本体２５に取付けられる。その後容器本体２５の図示しない開口から液体食品等の内容物が充てんされた後、容器本体２５の開口がヒートシールされる。
【００２９】
このようにして、容器本体２５と、注出口１１と、キャップ２０とからなる注出口付容器１０が得られる（図３）。
【００３０】
この場合、キャップ２０のキャップ本体２０ｂとピルファープルーフバンド２１とは薄肉部２２を介して連結されている。
【００３１】
次にキャップ２０を回転させて、注出口１１の筒状部１２から取外す。この場合、ピルファープルーフバンド２１はバンド止め突部１７により上方方向への動きが規制されているため、薄肉部２２が破断してピルファープルーフバンド２１がキャップ本体２０ｂから分離して、バンド止め突部１７とバンド止めフランジ１６との間に残る。このことにより、注出口１１の筒状部１２からキャップ２０の本体２０ｂが取外した状態を外部から確認することができる。
【００３２】
また、ピルファープルーフバンド２１はバンド止め突部１７とバンド止めフランジ１６とによって上下方向への動きが規制され、またバンド止めリブ１９により半径方向の動きも規制される。
【００３３】
次に注出口１１の筒状部１２内へ適当な破断工具、例えばノズル（図示せず）が挿入され、このノズルによりシール板１８が押圧される。この場合、シール板１８は薄肉部１８ａを介して破断され、筒状部１２内が開封される。
【００３４】
このため容器本体２５内の内容物を、注出口１１の連通口１３から筒状部１２を介して外方へ放出することができる。この場合、筒状部１２内にシール板１８を破断するためのノズルを残しておき、ノズル内から内容物を外方へ放出してもよい。
【００３５】
以上のように本実施の形態によれば、ノズルを筒状部１２内に挿入してシール板１８を破断するまでの間、容器本体２５内の内容物を完全に密閉状態に保っておくことができる。
【００３６】
また筒状部１２内に設けたシール板１８は容器本体２５にヒートシールされる一対の取付板１４の上方に配置されているので、一対の取付板１４のヒートシール時に、シール板１８がシール熱の影響を受けることはなく、このためシール板１８の薄肉部１８ａにピンホール等が生じることもない。
【００３７】
次に図４（ａ）（ｂ）により本発明の他の実施形態について説明する。
【００３８】
図４（ａ）（ｂ）に示す実施の形態は、シール板１８の位置を変化させたものであり、他の構成は図１乃至図３に示す実施の形態と略同一である。
【００３９】
図４（ａ）（ｂ）において、図１乃至図３に示す実施の形態と同一部分には同一符号を付して詳細な説明は省略する。
【００４０】
図４（ａ）に示すように、注出口１１の筒状部１２内面のうち中間部分に、薄肉部１８ａを介してシール板１８が取付けられている。また注出口１１の筒状部１２は、連通口１３より小さな内径を有している。
【００４１】
図４（ａ）において、シール板１８は筒状部１２の中間部分に設けられているので、一対の取付板１４を容器本体２５内にヒートシールする際、シール板１８がシール熱の影響を受けることはほとんどない。
【００４２】
また図４（ｂ）に示すように、注出口１１の筒状部１２内面のうち上方部分に、薄肉部１８ａを介してシール板１８を取付けてもよい。注出口１１の筒状部１２は、連通口１３と略同一の内径を有している。
【００４３】
【発明の効果】
以上のように本発明によれば、注出口内に破断自在にシール板を取付けたので、シール板を破断するまでの間、容器本体内の内容物に対して高い密封性を保つことができる。
【図面の簡単な説明】
【図１】本発明による注出口付容器を示す断面図。
【図２】本発明による注出口付容器の外面を示す拡大図。
【図３】キャップが取付けられた注出口付容器を示す断面図。
【図４】本発明による注出口付容器の変形例を示す断面図。
【符号の説明】
１０　注出口付容器
１１　注出口
１２　筒状部
１３　連通口
１４　一対の取付板
１５　取付フランジ
１６　バンド止めフランジ
１７　バンド止め突部
１８　シール板
１８ａ　薄肉部
１９　バンド止めリブ
２０　キャップ
２１　ピルファープルーフバンド
２５　容器本体
【図１】
2004067184.tif 000003
【図２】
2004067184.tif 000004
【図３】
2004067184.tif 000005
【図４】
2004067184.tif 000006